(57)【要約】【課題】斜め衝突又は微小ラップ衝突の際に、乗員頭部の回転を抑制することができる運転席エアバッグ装置を得る。【解決手段】運転席エアバッグ装置１０は、車両の前部に衝突が生じた場合にガス供給を受けて乗員の前方で膨張展開されるエアバッグ１８と、長手方向の両端がエアバッグ１８に接続され、エアバッグ１８の膨張展開状態で該エアバッグ１８内の車両後方側で車幅方向に長手となるように展開されるテザー２８と、を備えている。【選択図】図１
2015116912.tif 000002
【特許請求の範囲】
【請求項１】
車両の前部に衝突が生じた場合にガス供給を受けて乗員の前方で膨張展開されるエアバッグと、
長手方向の両端が前記エアバッグに接続され、前記エアバッグの膨張展開状態で該エアバッグ内の車両後方側で車幅方向に長手となるように展開されるテザーと、
を備えた運転席エアバッグ装置。
【請求項２】
前記テザーの長さは、前記エアバッグにおける前記テザーの両端が接続される部位間の距離よりも短い請求項１記載の運転席エアバッグ装置。
【請求項３】
前記テザーは、前記エアバッグにおける前面衝突が生じた場合に前記乗員としてのＡＦ０５ダミーの頭部が接触する領域の車両上下方向の上端よりも上側で、前記エアバッグにおける斜め衝突又は微小ラップ衝突が生じた場合に前記乗員としてのＡＭ５０ダミーの頭部が接触する領域を背面視で横切るように展開される請求項１又は請求項２記載の運転席エアバッグ装置。
【請求項４】
前記エアバッグは、ステアリングホイールと一体に回転する部分に支持されており、
複数の前記テザーが、前記エアバッグにおける前面衝突が生じた場合に前記ＡＦ０５ダミーの頭部が接触する領域の外側に、該エアバッグの周方向に沿って展開されるように設けられている請求項３記載の運転席エアバッグ装置。
【発明の詳細な説明】
【技術分野】
【０００１】
本発明は、運転席エアバッグ装置に関する。
【背景技術】
【０００２】
運転席用のエアバッグにおける乗員側基布と反乗員側基布とを、ステアリングホイールのリムに対応する径方向の部位にて、複数のテザーにて繋いだ構成が知られている（例えば、特許文献１参照）。
【先行技術文献】
【特許文献】
【０００３】
【特許文献１】特開２００８−９４２２４号公報
【発明の概要】
【発明が解決しようとする課題】
【０００４】
例えば、相手方車両が斜め前方から衝突してくる斜め衝突の場合、乗員は斜め前方の衝突側に移動する。この場合、乗員の頭部は、斜め方向からエアバッグに接触するため、顔面が反衝突側を向く方向に回転しやすい。微小ラップ衝突の場合も同様である。
【０００５】
本発明は、斜め衝突又は微小ラップ衝突の際に、乗員頭部の回転を抑制することができる運転席エアバッグ装置を得ることが目的である。
【課題を解決するための手段】
【０００６】
請求項１記載の発明に係る運転席エアバッグ装置は、車両の前部に衝突が生じた場合にガス供給を受けて乗員の前方で膨張展開されるエアバッグと、長手方向の両端が前記エアバッグに接続され、前記エアバッグの膨張展開状態で該エアバッグ内の車両後方側で車幅方向に長手となるように展開されるテザーと、を備えている。
【０００７】
この運転席エアバッグ装置では、車両の前部に衝突が生じると、エアバッグがガス供給を受けて膨張展開される。この衝突が斜め衝突又は微小ラップ衝突の際には、乗員は斜め前方の衝突側に移動しつつ、エアバッグに接触する。ここで、エアバッグ内の後部ではテザーが展開されている。このため、エアバッグにおけるテザーの展開領域に接触した乗員の頭部は、テザーによって車幅方向の両側から挟まれるようにしてエアバッグに拘束される。これにより、乗員頭部の左右に作用する拘束力の差が小さく抑えられ、該乗員頭部の回転が抑制される。
【０００８】
このように、請求項１の構成では、斜め衝突又は微小ラップ衝突の際に、乗員頭部の回転を抑制することができる。
【０００９】
請求項２記載の発明に係る運転席エアバッグ装置は、請求項１の構成において、前記テザーの長さは、前記エアバッグにおける前記テザーの両端が接続される部位間の距離よりも短い。
【００１０】
この運転席エアバッグ装置では、エアバッグの膨張展開の完了状態で、テザーが張力によって張られる。このため、テザーによる乗員頭部の回転抑制効果が大きい。
【００１１】
請求項３記載の発明に係る運転席エアバッグ装置は、請求項１又は請求項２の構成において、前記テザーは、前記エアバッグにおける前面衝突が生じた場合に前記乗員としてのＡＦ０５ダミーの頭部が接触する領域の車両上下方向の上端よりも上側で、前記エアバッグにおける斜め衝突又は微小ラップ衝突が生じた場合に前記乗員としてのＡＭ５０ダミーの頭部が接触する領域を背面視で横切るように展開される。
【００１２】
この運転席エアバッグ装置では、小柄な女性乗員をモデルとするＡＦ０５ダミーは、前面衝突の際に頭部がテザーにより拘束されないため、エアバッグによる拘束に伴い受ける荷重（反力）が小さく抑えられる。一方、標準的な体形の男性乗員をモデルとするＡＭ５０ダミーは、エアバッグの展開位置から後方に離れて位置するため、斜め衝突又は微小ラップ衝突の際に、エアバッグへの接触領域が該エアバッグの中心に対し車幅方向にずれやすい。このＡＭ５０ダミーの頭部の回転は、上記の通りテザーによって頭部が拘束されることで効果的に抑制される。
【００１３】
請求項４記載の発明に係る運転席エアバッグ装置は、請求項３の構成において、前記エアバッグは、ステアリングホイールと一体に回転する部分に支持されており、複数の前記テザーが、前記エアバッグにおける前面衝突が生じた場合に前記ＡＦ０５ダミーの頭部が接触する領域の外側に、該エアバッグの周方向に沿って展開されるように設けられている。
【００１４】
本運転席エアバッグ装置は、ステアリングホイールが回転している状態で斜め衝突又は微小ラップ衝突が生じても、複数のテザーが設けられているため、ＡＭ５０ダミーの頭部をテザーによって拘束することができる確率が高まる。一方、ＡＦ０５ダミーの頭部に対しては、ステアリングホイールの回転位置に依らず、テザーによる拘束を避けることができる。
【発明の効果】
【００１５】
以上説明したように本発明に係る運転席エアバッグ装置は、斜め衝突又は微小ラップ衝突の際に、乗員頭部の回転を抑制することができるという優れた効果を有する。
【図面の簡単な説明】
【００１６】
【図１】本発明の第１の実施形態に係る運転席エアバッグ装置による運転者の頭部の保護態様を模式的に示す図であって、（Ａ）は頭部がエアバッグと接触する前の平面図、（Ｂ）は頭部がエアバッグと接触し横テザーの拘束を受ける前の平面図、（Ｃ）は頭部が横テザーの拘束を受けている状態の平面図、（Ｄ）は横テザーにより頭部の回転が抑制されている状態の平面図である。
【図２】本発明の第１の実施形態に係る運転席エアバッグ装置を示す図であって、（Ａ）は概略全体構成を示す側面図、（Ｂ）はエアバッグにおける各ダミーの頭部が接触する領域を示す拡大背面図である。
【図３】本発明の第１の実施形態に係る運転席エアバッグ装置を構成するエアバッグ及び横テザーを示す図であって、（Ａ）はエアバッグの内部構造及び横テザーを示す側断面図、（Ｂ）はエアバッグへの横テザーの接続状態を拡大して示す拡大断面図である。
【図４】本発明の第２の実施形態に係る運転席エアバッグ装置を構成するエアバッグ及び横テザーを模式的に示す背面図である。
【発明を実施するための形態】
【００１７】
本発明の実施形態に係る運転席エアバッグ装置１０について、図１〜図３に基づいて説明する。なお、各図に適宜記す矢印ＦＲ、矢印ＵＰ、矢印ＬＨは、それぞれが適用された自動車の前方向、上方向、車幅方向の一方側である左側を示している。以下、単に前後、上下、左右の方向を用いて説明する場合は、特に断りのない限り、車両前後方向の前後、車両上下方向の上下、車両（前方を向いた場合）の左右を示すものとする。
【００１８】
図２（Ａ）に示されるように、運転席エアバッグ装置１０は、インストルメントパネル１２から後向き（運転席側）に突出されたステアリングコラム１４に設けられている。ステアリングコラム１４の後端には、運転者Ｄにより操作されるステアリングホイール１６が取り付けられている。運転席エアバッグ装置１０は、ステアリングホイール１６と一体に回転するステアリングコラム１４に収容されたエアバッグ１８をステアリングホイール１６の後方で膨張展開させる構成とされている。
【００１９】
具体的には、エアバッグ１８の基端側にはガス供給装置としてのインフレータ２０の少なくともガス噴出部が内蔵されており、該エアバッグ１８は折り畳み状態でインフレータ２０と共にエアバッグケース２２に収納されている。このエアバッグケース２２がステアリングコラム１４の後端部に固定されている。また、エアバッグケース２２の後端側の開口部は、図示しないステアリングホイールパッドにて閉止されている。ステアリングホイールパッドは、ガス供給を受けたエアバッグ１８の膨張圧によって開裂されるようになっている。これにより、エアバッグ１８がステアリングホイール１６に対する後方へ膨張展開することが許容される構成である。
【００２０】
また、図３（Ａ）に示されるように、エアバッグ１８は、膨張展開状態で運転者Ｄ側を向く乗員側基布１８Ｄと、反乗員側すなわちステアリングホイール１６側を向く反乗員側基布１８Ｒとが縫製されることで、袋状に形成されている。このエアバッグ１８内には、その前後方向の展開厚みを調整（設定）する前後テザー２６が設けられている。
【００２１】
前後テザー２６は、インフレータ２０と共にエアバッグ１８の反乗員側基布１８Ｒに接続された前テザー２６Ｆと、乗員側基布１８Ｄに接続された後テザー２６Ｒとを縫製により接続することで、エアバッグ１８の展開厚みを制限する張力部材として構成されている。この実施形態では、前テザー２６Ｆ及び後テザー２６Ｒは、それぞれエアバッグ１８との接続部位（上下方向中央部）に対する上下両側で互いに接続されており、上下一対の張力部材を構成している。
【００２２】
そして、本実施形態に係る運転席エアバッグ装置１０を構成するエアバッグ１８内には、本発明におけるテザーとしての横テザー２８が設けられている。横テザー２８は、膨張展開状態のエアバッグ１８内における上部かつ後部で、車幅方向に長手となるように（車幅方向に沿って）展開される構成とされている。
【００２３】
具体的には、図３（Ｂ）に示されるように、長尺の基布より成る横テザー２８の長手方向両端部は、乗員側基布１８Ｄにおけるエアバッグ１８の膨張展開状態で車幅方向に離れて位置する２か所の被接続部位１８Ｆに、縫製Ｓによって接続されている。この実施形態では、横テザー２８の長さは、エアバッグ１８の乗員側基布１８Ｄにおける２か所の被接続部位１８Ｆ間の距離（乗員側基布１８Ｄの表面に沿った最短距離）よりも短く設定されている。
【００２４】
このため、横テザー２８は、エアバッグ１８の乗員側基布１８Ｄに余長（弛み部）１８Ｓを形成した状態で、２か所の被接続部位１８Ｆに両端が接続されている。この構成によって横テザー２８は、エアバッグ１８が膨張展開された状態では、車幅方向に張力を受けた状態で展開される（ぴんと張る）状態とされる。
【００２５】
次いで、エアバッグ１８内における横テザー２８のより具体的な展開位置について、説明する。
【００２６】
図２（Ｂ）に示されるように、横テザー２８は、エアバッグ１８における領域Ａ３４の上端よりも上側で、領域Ａ３６を車幅方向に横切るように展開される構成とされている。ここで、領域Ａ３４は、運転者ＤとしてのＡＦ０５ダミー３４（米国の成人女性の５パーセンタイルダミー人形）の頭部Ｈが、フルラップ前面衝突（正突）の際に接触するエアバッグ１８の領域とされる。また、領域Ａ３６は、運転者ＤとしてのＡＭ５０ダミー３６（米国の成人男性の５０パーセンタイルダミー人形）の頭部Ｈが、斜め衝突の際に接触するエアバッグ１８の領域とされる。
【００２７】
以下、フルラップ前面衝突の際におけるＡＦ０５ダミー３４の挙動、斜め衝突の際におけるＡＭ５０ダミー３６の挙動、及び横テザー２８の展開位置について補足する。
【００２８】
ＡＦ０５ダミー３４は、小柄な女性乗員のモデルであり、３点式のシートベルト装置を装着した状態で、ステアリングホイール１６の近くで背筋を立てて（アップライトな姿勢で）着座する。図示は省略するが、フルラップ前面衝突の際にＡＦ０５ダミー３４の上体は、ラップベルトにて拘束された腰部を中心に前傾するため、頭部Ｈの軌跡は、円弧に沿って前下方に移動するような形態となる。図２（Ａ）に示すラインＬは、ＡＦ０５ダミー３４の頭頂部の円弧状軌跡が横テザー２８の下方を通過する点での該軌跡の接線とされている。そして、横テザー２８は、このラインＬよりも上側、すなわちエアバッグ１８の乗員側基布１８Ｄにおけるフルラップ前面衝突の際にＡＦ０５ダミー３４の頭部Ｈに接触しない領域で展開される構成とされている。
【００２９】
ＡＭ５０ダミー３６は、標準的な体型の男性乗員のモデルであり、３点式のシートベルト装置を装着した状態で、ＡＦ０５ダミー３４よりもステアリングホイール１６から離れて後傾した姿勢で着座する。図示は省略するが、斜め衝突の際にＡＭ５０ダミー３６の上体は、ラップベルトにて拘束された腰部を中心に後傾姿勢から前傾姿勢に移行しつつ、車幅方向の衝突側にも移動する。そして、ＡＭ５０ダミー３６の頭部Ｈは、上体が前傾に移行した後にエアバッグ１８における車幅方向の中央に対し衝突側にオフセットした位置に接触する（図２（Ｂ）参照）。
【００３０】
すなわち、図２（Ｂ）に示されるように、エアバッグ１８における斜め衝突の際にＡＭ５０ダミー３６の頭部Ｈが接触する領域Ａ３６は、ＡＦ０５ダミー３４の頭部Ｈがフルラップ前面衝突の際に接触する領域Ａ３４よりも上側でかつ車幅方向にオフセットされる。なお、図２（Ｂ）では、ＡＭ５０ダミー３６の頭部Ｈが左側に移動した場合の領域Ａ３６、右側に移動した場合の領域Ａ３６の両者が示されている。そして、横テザー２８は、上記した通り、領域Ａ３６の上下方向のほぼ中央部分を横切るように展開されるようになっている。すなわち、横テザー２８は、斜め衝突の際にＡＭ５０ダミー３６の頭部Ｈを拘束可能な構成とされている。
【００３１】
なお、斜め衝突（ＭＤＢ斜突、オブリーク衝突）とは、例えばＮＨＳＴＡにて規定される斜め前方（一例として、衝突相手方との相対角１５°、車幅方向のラップ量３５％程度の衝突）からの相手方車両（バリヤ）の衝突とされる。この実施形態では、一例として相対速度９０ｋｍ／ｈｒでの斜め衝突が想定されている。
【００３２】
また、横テザー２８は、微小ラップ衝突（衝突形態については後述）の際にＡＭ５０ダミー３６の頭部Ｈにおける上下方向のほぼ中央部分を拘束可能な位置で、展開されるようになっている。なお、微小ラップ衝突とは、自動車の前面衝突のうち、例えばＩＩＨＳにて規定される相手方車両（バリヤ）との車幅方向のラップ量が２５％以下の衝突とされる。例えば車体骨格であるフロントサイドメンバに対する車幅方向外側への衝突が微小ラップ衝突に該当する。この実施形態では、一例として相対速度６４ｋｍ／ｈｒでの微小ラップ衝突が想定されている。
【００３３】
この微小ラップ衝突の場合も、斜め衝突の際と同様に、後傾姿勢から前傾姿勢に移行しつつ、車幅方向の衝突側にも移動する。微小ラップ衝突の場合は、斜め衝突の場合よりも車幅方向の衝突側への移動が遅れて生じるので、ＡＭ５０ダミー３６の頭部Ｈは、斜め衝突の場合と比較してエアバッグ１８の車幅方向中央側に接触する。したがって、斜め衝突に対してＡＭ５０ダミー３６の頭部Ｈを拘束可能に設定された横テザー２８は、微小ラップ衝突の場合においてもＡＭ５０ダミー３６の頭部Ｈを拘束可能とされる。なお、図２（Ａ）に示されるように、この実施形態における横テザー２８の展開位置は、エアバッグ１８におけるステアリングホイール１６の上端よりも上側とされている。
【００３４】
また、運転席エアバッグ装置１０のインフレータ２０は、制御装置としてのエアバッグＥＣＵ３０によって作動が制御されるようになっている。エアバッグＥＣＵ３０は、インフレータ２０及び衝突センサ３２と電気的に接続されている。
【００３５】
このエアバッグＥＣＵ３０は、衝突センサ３２からの情報に基づいて、適用された自動車に対する前面衝突を検知又は予測可能とされている。この実施形態では、エアバッグＥＣＵ３０は、衝突センサ３２からの情報に基づいて、フルラップ前面衝突、オフセット前面衝突、微小ラップ衝突、斜め衝突等の各種前面衝突を区別することなく（又は衝突形態ごとに）検知又は予測可能とされている。エアバッグＥＣＵ３０は、衝突センサ３２からの情報に基づいて前面衝突を検知又は予測すると、インフレータ２０を作動させるようになっている。
【００３６】
［作用］
次に、第１の実施形態の作用を説明する。
【００３７】
エアバッグＥＣＵ３０は、衝突センサ３２からの信号に基づいて自動車への前面衝突を検知又は予測すると、インフレータ２０を作動させる。すると、インフレータ２０からガス供給を受けたエアバッグ１８は、ステアリングホイールパッドを開裂してステアリングホイール１６の後方で膨張展開される。以下、運転者ＤがＡＦ０５ダミー３４である場合、ＡＭ５０ダミー３６である場合について、それぞれ前面衝突、斜め衝突に対する運転席エアバッグ装置１０による保護作用を説明する。
【００３８】
（運転者ＤがＡＦ０５ダミーである場合）
上記した衝突がフルラップ前面衝突であった場合、ＡＦ０５ダミー３４の上体は、膨張展開されたエアバッグ１８に接触し、拘束される。この際、ＡＦ０５ダミー３４の頭部Ｈは、エアバッグ１８における横テザー２８の展開領域に接触することがない。このため、相対的に耐性の低い（華奢な）ＡＦ０５ダミー３４がエアバッグ１８による拘束に伴い受ける荷重（反力）が小さく抑えられる。
【００３９】
上記した衝突が斜め衝突であった場合、上記の通りステアリングホイール１６に近接して着座するＡＦ０５ダミー３４の頭部Ｈは、エアバッグ１８に接触するまでの車幅方向の衝突側への移動量が小さい。このため、ＡＦ０５ダミー３４の頭部Ｈは、横テザー２８に頼ることなく、エアバッグ１８にて適正に保護される。
【００４０】
（運転者ＤがＡＭ５０ダミーである場合）
上記した衝突がフルラップ前面衝突であった場合、ＡＭ５０ダミー３６の上体は、膨張展開されたエアバッグ１８に接触し、拘束される。この際、ＡＭ５０ダミー３６の頭部Ｈは、エアバッグ１８におけるステアリングホイール１６よりも上側の部分を含む領域に接触する。このエアバッグ１８内におけるステアリングホイール１６よりも上側の部分で横テザー２８が展開されているので、頭部Ｈの拘束性が良好である。
【００４１】
上記した衝突が車体左前部への斜め衝突であった場合について、図１（Ａ）〜図１（Ｄ）を参照しつつ説明する。なお、図１（Ｂ）〜図１（Ｄ）に想像線にて示す頭部Ｈは、衝突による移動前の頭部Ｈの位置（図１（Ａ）の位置と同じ）を示している。
【００４２】
図１（Ａ）に矢印Ａにて示されるように、ＡＭ５０ダミー３６の頭部Ｈは、斜め前方の衝突側（左側）に移動し、図１（Ｂ）に示されるように、エアバッグ１８に接触する。さらに、ＡＭ５０ダミー３６の頭部Ｈは、エアバッグ１８を左前方に向けて押し込みつつ、図１（Ｃ）に示されるように、エアバッグ１８内の横テザー２８を左前方に向けて押し込む。横テザー２８は、張力を受けつつＡＭ５０ダミー３６の頭部Ｈを左右から挟むように変形する。図１（Ｄ）に示されるように、さらに横テザー２８の変形が進行する。
【００４３】
そして、ＡＭ５０ダミー３６の頭部Ｈは、エアバッグ１８による拘束に伴って上下方向に沿った軸回りに回転することが、横テザー２８によって抑制される。この点を比較例と比較しつつ補足する。例えば横テザー２８を有しない比較例の場合、ＡＭ５０ダミー３６の頭部Ｈの主に右側部分がエアバッグ１８に接触して前方への移動が制限される一方、左側部分は慣性にて前方への移動を続けることとなる。この場合、ＡＭ５０ダミー３６の頭部Ｈは、左側部分が右側部分に先行して前進するので、顔面が右側（反衝突側）を向く方向に回転しやすい。
【００４４】
これに対して運転席エアバッグ装置１０では、エアバッグ１８内で横テザー２８が展開されている。そして、横テザー２８は、ＡＭ５０ダミー３６の頭部Ｈにて押し込まれる力（慣性力）に起因して作用する張力を受けつつ、該ＡＭ５０ダミー３６の頭部Ｈを左右から挟む（図１（Ｃ）、図１（Ｄ）参照）。すなわち、横テザー２８によってＡＭ５０ダミー３６の頭部Ｈの左側部分を拘束（制動）する力が生じ、該頭部Ｈの左側部分が右側部分に先行して前方へ移動することが抑制される。これにより、本実施形態では、上記した横テザー２８を有しない比較例と比較して、ＡＭ５０ダミー３６の頭部Ｈが上下方向に沿った軸回りに回転することが効果的に抑制される。
【００４５】
また、運転席エアバッグ装置１０では、横テザー２８の長さがエアバッグ１８の乗員側基布１８Ｄにおける被接続部位１８Ｆ間の距離よりも短いため、エアバッグ１８の膨張展開の完了状態で、横テザー２８が張力を受けた展開形態とされる（ぴんと張る）。このため、横テザー２８が弛んだ状態で展開される構成と比較して、横テザー２８によるＡＭ５０ダミー３６の頭部Ｈの拘束が開始されるタイミングが早くなり、また拘束が開始される位置が後方に位置することとなる。これにより、横テザー２８によるＡＭ５０ダミー３６の頭部Ｈの回転がより効果的に抑制される。
【００４６】
なお、説明は省略したが、微小ラップ衝突の際には、ＡＦ０５ダミー３４、ＡＭ５０ダミー３６共に、斜め衝突の場合よりも、エアバッグ１８に接触するまでに車幅方向の衝突側への移動量が小さいため、斜め衝突の場合と同等以上の乗員保護効果が得られる。
【００４７】
（第２の実施形態）
本発明の第２の実施形態に係る運転席エアバッグ装置５０について、図４に基づいて説明する。なお、第１の実施形態と基本的に同一の部品や部分については、第１の実施形態と同一の符号を付して、その説明、図示を適宜省略する。
【００４８】
図４に示さるように、運転席エアバッグ装置５０を構成するエアバッグ１８内には、複数（図示例では、６本）の横テザー２８が設けられている。複数の横テザー２８は、エアバッグ１８における領域Ａ３４の外側で全体として環状を成すように、該エアバッグ１８の周方向に沿って配置されている。これにより、ステアリングホイール１６が操作（回転）された状態で、斜め衝突や微小ラップ衝突に至った場合でも、何れかの横テザー２８にてＡＭ５０ダミー３６の頭部Ｈの回転が抑制されやすい。換言すれば、横テザー２８が１本だけ設けられた構成と比較して、該横テザー２８によりＡＭ５０ダミー３６の頭部Ｈの回転を抑制できる確率が高い。
【００４９】
一方、複数の横テザー２８の設置領域は、ステアリングホイール１６の各回転位置において領域Ａ３４の外側となる。このため、ステアリングホイール１６の回転位置に依らず、ＡＦ０５ダミー３４の頭部Ｈは、フルラップ前面衝突の場合に、エアバッグ１８における何れの横テザー２８の展開領域と接触することがない。
【００５０】
（変形例）
なお、第２の実施形態では、複数の横テザー２８が環状に配置されてステアリングホイール１６が３６０°以上回転しても横テザー２８による運転者Ｄの拘束作用が得られる例を示したが、本発明はこれに限定されない。例えば、複数の横テザー２８を１８０°の範囲に設定しても良い。
【００５１】
また、第１、第２の実施形態では、横テザー２８の長さがエアバッグ１８の乗員側基布１８Ｄにおける被接続部位１８Ｆ間の距離よりも短い例を示したが、本発明はこれに限定されない。例えば、横テザーの長さがエアバッグ１８の乗員側基布１８Ｄにおける被接続部位１８Ｆ間の距離と同等である（余長１８Ｓを設定しない）構成としても良い。この構成の横テザーは、エアバッグ１８の膨張展開状態で、張力を受けずに弛んだ状態で車幅方向に長手となるように展開されるが、ＡＭ５０ダミー３６の頭部Ｈがエアバッグ１８に接触した後に張力が作用し、その後は上記した横テザー２８と同様に機能する。
【００５２】
さらに、上記した第１、第２の実施形態では、横テザー２８が長手方向を車幅方向に一致させるように展開される例を示したが、本発明はこれに限定されない。横テザーは、運転者Ｄの頭部Ｈを挟み込むように変形可能な態様で展開されれば足り、例えば、車幅方向に対し傾斜して展開される横テザーを採用しても良く、「Ｘ」字状に交差した態様で展開される一対又は複数対の横テザーを採用しても良い。
【００５３】
またさらに、上記した第１、第２の実施形態では、特定のダミー人形との関係で横テザー２８の設置領域を特定する例を示したが、本発明はこれに限定されない。本発明は、斜め衝突又は微小ラップ衝突の際に運転者Ｄ（特定の保護対象であっても良い）の頭部Ｈの回転を抑制可能である領域に横テザーを展開させる構成であれば足りる。
【００５４】
その他、本発明は、その要旨を逸脱しない範囲で各種変形して実施可能であることは言うまでもない。
【符号の説明】
【００５５】
１０    運転席エアバッグ装置
１６    ステアリングホイール
１８    エアバッグ
１８Ｆ  被接続部位（テザーの両端が接続される部位）
２８    横テザー（テザー）
３４    ＡＦ０５ダミー
３６    ＡＭ５０ダミー
５０    運転席エアバッグ装置
Ａ３４  ＡＦ０５ダミー３４の頭部がフルラップ前面衝突の際に接触するエアバッグの領域（エアバッグにおける前面衝突が生じた場合にＡＦ０５ダミーの頭部が接触する領域）
Ａ３６  ＡＭ５０ダミー３６の頭部が斜め衝突の際に接触するエアバッグの領域（エアバッグにおける斜め衝突又は微小ラップ衝突が生じた場合にＡＭ５０ダミーの頭部が接触する領域）
Ｈ      頭部（ＡＦ０５ダミーの頭部、ＡＭ５０ダミーの頭部）
【図１】
2015116912.tif 000003
【図２】
2015116912.tif 000004
【図３】
2015116912.tif 000005
【図４】
2015116912.tif 000006